【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
印字ヘッドのインクジェットの位置合わせをする方法であって、
受像面を処理方向に印字ヘッドおよび光学センサを通過するよう移動させ、
第１の所定の速度で前記印字ヘッド内の第１のインクジェットから複数の液滴を前記受像面の上に排出するよう発射信号を生成し、ここで、前記第１のインクジェットからインク液滴を排出する第１の速度は、前記インクジェットの最大排出速度未満であり、
前記光学センサを用いて、前記第１のインクジェットから排出された前記複数の液滴を受けた前記受像面の複数の部分を含む前記受像面の複数の画像データサンプルを生成し、ここで、前記複数の画像データサンプルは、第２の所定の速度で生成され、前記第２の所定の速度は、インク液滴を表す２つの画像データサンプルの間の少なくとも１つの画像データサンプルが、インク液滴を有さない前記受像面の部分を表すことができるよう前記第１のインクジェットの前記最大排出速度未満であり、
前記複数の画像データサンプルを基準として前記処理方向に前記受像面の上の前記複数のインク液滴の中心を識別し、
前記第１のインクジェットから排出された前記複数の液滴の前記識別された中心と、第２のインクジェットによって排出された他の複数のインク液滴を有する前記受像面の他の部分に対して生成された他の複数の画像データサンプルを基準として識別された中心との間の処理方向オフセットを識別し、
前記第１のインクジェットに関して、前記識別されたオフセットに対応する画像データオフセット値をメモリに格納する、
方法。
【請求項２】
前記受像面を移動させ、前記受像面を所定の線速度で前記光学センサを通過させ、前記受像面の上の前記複数のインク液滴のそれぞれのサイズよりも大きい前記処理方向の寸法を有する各画像データサンプルを生成する、
請求項１に記載の方法。
【請求項３】
各画像データサンプルに対する処理方向寸法、および第１のインク液滴を含む第１の画像データサンプルと、第２のインク液滴を含む第２の画像データサンプルとに対応する前記複数のインク液滴における前記第１のインク液滴と前記第２のインク液滴との処理方向位置における相対変化のサイズを基準とする前記第１のインクジェットから前記インク液滴を排出するための前記第１の速度を識別する、
請求項２に記載の方法。
【請求項４】
前記画像データサンプルを生成するための前記第２の所定の速度を基準として前記第１のインクジェットから前記インク液滴を排出するための前記第１の速度を識別する
請求項３に記載の方法。
【請求項５】
第１の画像データサンプルに対応する前記受像面の第１の部分における前記第１のインク液滴の第１の相対処理方向位置と、各画像データサンプルに対応する前記受像面の各部分の前記処理方向寸法未満である前記受像面の第２の部分における前記第２のインク液滴の第２の相対処理方向位置との間の次第に増加する変化を伴って前記第１のインクジェットから排出されるインク液滴の数を識別し、
前記識別された数のインク液滴のみを含むよう、前記画像データサンプルを生成する、
請求項３に記載の方法。
【請求項６】
前記複数の液滴を前記受像面の上に排出することは、前記第１の速度で前記インクジェットから前記識別された数のインク液滴のみを排出することをさらに備える、
請求項５に記載の方法。
【請求項７】
前記受像面の前記線速度は、１３７メートル／分超である、
請求項２に記載の方法。
【請求項８】
前記処理方向に前記複数のインク液滴の中心を識別することは、
前記第１のインクジェットと関連する前記複数の画像データサンプルのプロファイルを生成することと、
前記プロファイル内のノイズを減らすために前記プロファイルとカーネルとの畳み込みをすることと、
前記畳み込みを基準として前記処理方向に前記複数のインク液滴の前記中心を識別することと、
をさらに備える、請求項１に記載の方法。
【請求項９】
前記処理方向に、前記光学センサの解像度よりも高い解像度を用いて前記複数のインク液滴のための前記プロファイルから識別された前記複数のインク液滴の処理方向位置を補完することと、
前記複数のインク液滴に対して推定された処理方向位置を基準として前記処理方向に前記複数の液滴の前記中心を識別することと、
をさらに備える、請求項８に記載の方法。
【請求項１０】
インクジェットプリンタであって、
処理方向に印刷媒体を移動し、複数のインクジェットを有する印字ヘッドおよび光学センサを通過させるように構成された媒体搬送部と、
前記媒体搬送部と、前記印字ヘッドと、前記光学センサと、メモリとに可動に接続される制御器とを備え、前記制御器が、
前記印刷媒体が所定の速度で前記印字ヘッドおよび前記光学センサを通過するよう前記媒体搬送部を作動させ、
第１の所定の速度で前記印字ヘッド内の第１のインクジェットから複数の液滴を前記印刷媒体の上に排出するよう発射信号を生成し、ここで、前記第１のインクジェットからインク液滴を排出する第１の速度は、前記インクジェットの最大排出速度未満であり、
前記光学センサを用いて、前記第１のインクジェットから排出された前記複数の液滴を受けた前記印刷媒体の複数の部分を含む前記印刷媒体の複数の画像データサンプルを生成し、ここで、前記複数の画像データサンプルは、第２の所定の速度で生成され、前記第２の所定の速度は、インク液滴を表す２つの画像データサンプルの間の少なくとも１つの画像データサンプルが、インク液滴を有さない受像面の部分を表すことができるよう前記第１のインクジェットの前記最大排出速度未満であり、
前記複数の画像データサンプルを基準として前記処理方向に前記印刷媒体の上の前記複数のインク液滴の中心を識別し、
前記第１のインクジェットから排出された前記複数の液滴の前記識別された中心と、第２のインクジェットによって排出された他の複数のインク液滴を有する前記受像面の他の部分に対して生成された他の複数の画像データサンプルを基準として識別された中心との間の処理方向オフセットを識別し、
前記第１のインクジェットに関して、前記識別されたオフセットに対応する時間調整値を前記メモリに格納するように構成された、
インクジェットプリンタ。
【請求項１１】
前記制御器がさらに、前記媒体搬送部を作動させ、前記印刷媒体を所定の線速度で前記光学センサを通過させ、前記印刷媒体の上の前記複数のインク液滴のそれぞれのサイズよりも大きい前記処理方向の寸法を有する各画像データサンプルを生成することを可能とするように構成される、請求項１０に記載のインクジェットプリンタ。
【請求項１２】
前記制御器がさらに、
前記第１のインクジェットと関連する前記複数の画像データサンプルを基準とするプロファイルを生成し、
前記プロファイル内のノイズを減らすために前記プロファイルとカーネルとを畳み込み、
前記畳み込みを基準として前記処理方向に前記複数のインク液滴の前記中心を識別する、
ように構成される、請求項１１に記載のインクジェットプリンタ。
【請求項１３】
前記制御器がさらに、
前記プロファイルで識別された前記複数のインク液滴の処理方向位置を補完して、前記処理方向に、前記光学センサの解像度よりも高い解像度を用いて前記複数のインク液滴の推定される処理方向位置を生成し、
前記複数のインク液滴に対して前記推定された処理方向位置を基準として前記処理方向に前記複数の液滴の前記中心を識別する、
ように構成される、
請求項１２に記載のインクジェットプリンタ。
【請求項１４】
前記制御器がさらに、各画像データサンプルに対する処理方向寸法、および第１のインク液滴を含む第１の画像データサンプルと、第２のインク液滴を含む第２の画像データサンプルとに対応する前記複数のインク液滴における前記第１のインク液滴と前記第２のインク液滴との処理方向位置における相対変化のサイズを基準とする前記第１のインクジェットから前記インク液滴を排出するための前記第１の速度を識別するように構成される、請求項１０に記載のインクジェットプリンタ。
【請求項１５】
前記制御器がさらに、前記画像データサンプルを生成するための前記第２の所定の速度を基準として前記第１のインクジェットから前記インク液滴を排出するための前記第１の速度を識別するように構成される、請求項１４に記載のインクジェットプリンタ。
【請求項１６】
前記制御器がさらに、第１の画像データサンプルに対応する前記印刷媒体の第１の部分における前記第１のインク液滴の第１の相対処理方向位置と、各画像データサンプルに対応する前記印刷媒体の各部分の前記処理方向寸法未満である前記印刷媒体の第２の部分における前記第２のインク液滴の第２の相対処理方向位置との間の次第に増加する変化を伴って前記第１のインクジェットから排出されるインク液滴の数を識別し、
前記識別された数のインク液滴のみを含むよう、前記光学センサを用いて前記画像データサンプルを生成するように構成される、
請求項１５に記載のインクジェットプリンタ。
【請求項１７】
前記制御器がさらに、多数の発射信号を生成し、前記第１のインクジェットが前記第１の速度で前記インクジェットから前記識別された数のインク液滴のみを排出するように構成される、
請求項１６に記載のインクジェットプリンタ。
【請求項１８】
前記媒体搬送部が、１３７メートル／分超の線速度で前記処理方向に前記印刷媒体を移動するように構成される、
請求項１０に記載のインクジェットプリンタ。